【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
表示部を有する画像処理装置であって、
前記表示部に表示されるコンテンツを登録する登録手段と、
所定時間ユーザ操作を受け付けなかったことに応じて初期画面を表示する場合、前記登録手段が登録したコンテンツを前記表示部に表示する表示制御手段と、を有することを特徴とする画像処理装置。
【請求項２】
前記コンテンツはＷｅｂコンテンツであることを特徴とする請求項１に記載の画像処理装置。
【請求項３】
前記初期画面はユーザが指定可能であることを特徴とする請求項１又は２に記載の画像処理装置。
【請求項４】
所定時間ユーザ操作を受け付けなかったことに応じて設定画面で設定された内容をクリアし前記初期画面を自動で表示することを特徴とする請求項１から３のいずれか１項に記載の画像処理装置。
【請求項５】
前記初期画面は設定された内容がクリアされたあとの前記設定画面であることを特徴とする請求項４に記載の画像処理装置。
【請求項６】
前記初期画面は機能を実行するためのファンクションボタンが表示されたメニュー画面であることを特徴とする請求項１から５のいずれか１項に記載の画像処理装置。
【請求項７】
前記所定時間は前記表示画面を表示するために設定された時間であることを特徴とする請求項１から６のいずれか１項に記載の画像処理装置。
【請求項８】
前記表示制御手段は、所定時間ユーザ操作を受け付けなかったことに応じて初期画面を表示する処理が行われることを条件として、前記登録手段が登録したコンテンツを前記表示部に表示することを特徴とする請求項１から７のいずれか１項に記載の画像処理装置。
【請求項９】
原稿上の画像を読み取って画像データを生成する読取手段と、
画像データに基づいて用紙上に画像を印刷する印刷手段と、
画像データを記憶する記憶手段と、
ネットワークを介して外部と通信するための通信手段と、を備え、
前記画像処理装置が備える機能は、前記読取手段により原稿上の画像を読み取って生成された画像データに基づいて前記印刷手段により用紙上に画像を印刷する機能、外部装置から送信された画像データに基づいて用紙上に画像を印刷する機能、前記読取手段により原稿上の画像を読み取って生成された画像データを前記通信手段により外部へ送信する機能、前記読取手段により原稿上の画像を読み取って生成された画像データを前記記憶手段に記憶する機能、前記記憶手段に記憶された画像データを処理する機能、の少なくともいずれか一つを含むことを特徴とする請求項１から８のいずれか１項に記載の画像処理装置。
【請求項１０】
前記登録手段により登録されたコンテンツを外部のサーバから取得する取得手段をさらに有し、前記表示制御手段は、前記取得手段により取得したコンテンツを表示することを特徴とする請求項１から９のいずれか１項に記載の画像処理装置。
【請求項１１】
表示部を有する画像処理装置が実行する制御方法であって、
前記表示部に表示されるコンテンツを登録する登録工程と、
所定時間ユーザ操作を受け付けなかったことに応じて初期画面を自動で表示する場合、前記登録工程で登録したコンテンツを前記表示部に表示する表示制御工程と、を有することを特徴とする制御方法。
【請求項１２】
画像処理装置の表示部に表示すべきコンテンツを登録する登録手段と、
前記登録手段が登録したコンテンツを、前記画像処理装置に対するログインに応じて表示するかを設定する設定手段と、
前記設定手段において前記登録手段が登録したコンテンツを、前記画像処理装置に対するログインに応じて表示するよう設定するよう設定されている場合、ユーザがログインすることに応じて、前記登録手段により登録されたコンテンツを前記表示部において表示する処理を制御する表示制御手段と、
を有することを特徴とする画像処理装置。
【請求項１３】
画像処理装置の表示部に表示すべきコンテンツを登録する登録手段と、
前記登録手段が登録したコンテンツを、前記画像処理装置に対してユーザがログインしていないタイミングで表示するか、前記画像処理装置に対してユーザがログインしたタイミングで表示するかを設定する設定手段と、
前記登録手段が登録したコンテンツを前記画像処理装置に対してユーザがログインしていないタイミングで表示するよう前記設定手段により設定されている場合、ユーザがログインしていないタイミングで、前記登録手段により登録されたコンテンツを前記表示部において表示し、前記登録手段が登録したコンテンツを前記画像処理装置に対してユーザがログインしたタイミングで表示するよう前記設定手段により設定されている場合、ユーザがログインしたタイミングで、前記登録手段により登録されたコンテンツを前記表示部に表示する処理を制御する表示制御手段と、
を有することを特徴とする画像処理装置。
【請求項１４】
前記表示制御手段は、前記登録手段が登録したコンテンツを前記画像処理装置に対してユーザがログインしていないタイミングで表示するよう前記設定手段により設定されている場合、ユーザがログアウトすることに応じて、前記登録手段により登録されたコンテンツを前記表示部において表示する請求項１３に記載の画像処理装置。
【請求項１５】
前記設定手段は、前記登録手段が登録した複数のコンテンツのそれぞれに対して異なる表示タイミングを設定可能である請求項１４に記載の画像処理装置。
【請求項１６】
前記設定手段は、前記コンテンツの表示タイミングを前記ログインイベントが発生したタイミングにするか前記オートクリアイベントが発生したタイミングにするかを設定でき、前記表示制御手段は、前記設定手段により設定されたタイミングで前記コンテンツを表示する処理を制御することを特徴とする請求項１３乃至１５のいずれか１項に記載の画像処理装置。
【請求項１７】
画像処理装置の表示部に表示すべきコンテンツを登録する登録工程と、
前記登録工程が登録したコンテンツを、前記画像処理装置に対するログインに応じて表示するかを設定する設定工程と、
前記設定工程において前記登録工程が登録したコンテンツを、前記画像処理装置に対するログインに応じて表示するよう設定するよう設定されている場合、ユーザがログインすることに応じて、前記登録工程により登録されたコンテンツを前記表示部において表示する処理を制御する表示制御工程と、
を有することを特徴とする画像処理装置の制御方法。
【請求項１８】
画像処理装置の表示部に表示すべきコンテンツを登録する登録工程と、
前記登録工程が登録したコンテンツを、前記画像処理装置に対してユーザがログインしていないタイミングで表示するか、前記画像処理装置に対してユーザがログインしたタイミングで表示するかを設定する設定工程と、
前記登録工程が登録したコンテンツを前記画像処理装置に対してユーザがログインしていないタイミングで表示するよう前記設定工程により設定されている場合、ユーザがログインしていないタイミングで、前記登録工程により登録されたコンテンツを前記表示部に表示し、前記登録工程が登録したコンテンツを前記画像処理装置に対してユーザがログインしたタイミングで表示するよう前記設定工程により設定されている場合、ユーザがログインしたタイミングで、前記登録工程により登録されたコンテンツを前記表示部に表示する処理を制御する表示制御工程と、
を有することを特徴とする画像処理装置の制御方法。
【請求項１９】
前記表示制御工程は、前記登録工程が登録したコンテンツを前記画像処理装置に対してユーザがログインしていないタイミングで表示するよう前記設定工程により設定されている場合、ユーザがログアウトすることに応じて、前記登録工程により登録されたコンテンツを前記表示部に表示する請求項１８に記載の画像処理装置の制御方法。
【請求項２０】
前記設定工程は、前記登録工程が登録した複数のコンテンツのそれぞれに対して異なる表示タイミングを設定可能である請求項１８に記載の画像処理装置の制御方法。
【請求項２１】
前記設定工程では、前記コンテンツの表示タイミングを前記ログインイベントが発生したタイミングにするか前記オートクリアイベントが発生したタイミングにするかを設定でき、前記表示制御工程では、前記設定工程にて設定されたタイミングで前記コンテンツを表示する処理を制御することを特徴とする請求項１８乃至２０のいずれか１項に記載の画像処理装置の制御方法。
【請求項２２】
コンピュータを、請求項１乃至１０、請求項１２乃至１６のいずれか１項に記載の画像処理装置として動作させるためのプログラム。
【手続補正２】
【補正対象書類名】明細書
【補正対象項目名】０００９
【補正方法】変更
【補正の内容】
【０００９】
表示部を有する画像処理装置であって、前記表示部に表示されるコンテンツを登録する登録手段と、所定時間ユーザ操作を受け付けなかったことに応じて初期画面を表示する場合、前記登録手段が登録したコンテンツを前記表示部に表示する表示制御手段と、を有することを特徴とする画像処理装置。